(57)【要約】【課題】  レトロ調の表示を行う時計に関し、簡単な構造により、設計の自由度を格段に向上させることができる時計の表示装置、およびこの表示装置を備えた時計を提供すること。【解決手段】  筒車３１、分配車３３、日従動車５１、曜従動車８１、カム５２、６１、およびレバー５３，６２等によって、日針６２・曜針９２を往復運動させるレトロ調の表示を行うものとしたので、これらの歯車列３０、カム５２，６１、およびレバー５３，６２等の構成の簡素さ、レイアウトの容易さから、スペース的な制約を大幅に少なくできる。これにより、構造が複雑化することなく、日表示機構４０と曜表示機構７０とからなる複数系統のレトロ調表示を行う表示装置２０を容易に実現できる。【選択図】図３
2006071298.tif 000002
【特許請求の範囲】
【請求項１】
動力源によって回転される駆動車と、
この駆動車によって駆動されて駆動力を複数方向に分配する分配車と、
この分配車で分配された駆動力によって駆動される従動車と、
前記従動車を介して回転するカムと、
このカムに当接して当該カムの回転に応じて撓むばね部、およびこのばね部と一体に設けられて当該ばね部の撓みに応動する歯車部を有するレバーと、
前記歯車部と噛合う指示車と、
この指示車に設けられる指示部材と、
この指示部材により示される扇形の表示部とを備えたことを特徴とする時計の表示装置。
【請求項２】
請求項１に記載の時計の表示装置において、
前記分配車は、前記駆動車および前記従動車とそれぞれ噛合う複数の歯車層を有し、これらの歯車層が同軸上に積層されていることを特徴とする時計の表示装置。
【請求項３】
請求項２に記載の時計の表示装置において、
前記分配車は、前記駆動車によって１日に一歯ずつ送られ、
前記従動車は、３１の整数倍の歯数を有する日従動車と、７の整数倍の歯数を有する曜従動車とで構成されていることを特徴とする時計の表示装置。
【請求項４】
請求項３に記載の時計の表示装置において、
前記駆動車は、時針が取り付けられた筒車であり、
この筒車と前記分配車との間には、前記分配車を送る送り爪を有する日回し車が設けられていることを特徴とする時計の表示装置。
【請求項５】
請求項１ないし請求項４のいずれかに記載の時計の表示装置において、
前記カムは、前記従動車と同軸上に設けられていることを特徴とする時計の表示装置。
【請求項６】
請求項１ないし請求項５のいずれかに記載された表示装置を備えたことを特徴とする時計。
【発明の詳細な説明】
【技術分野】
【０００１】
本発明は、月、日、曜などの暦や時刻を扇形の表示部に表示するレトロ調の時計の表示装置、および時計に関する。
【背景技術】
【０００２】
従来、暦表示を行う時計に関しては、暦表示用のリング状の回転板（日車、曜車）が採用され、この回転板の周に沿って印字された、日なら１〜３１、曜ならSun〜Sat等の文字を文字板の窓から順次表示することによって暦表示を行っていた。
一方、日や曜、時分などの目盛が文字板上の扇形の表示部に描かれ、指針によって暦や時刻を示すレトロ調（レトログラード）の時計の表示機構も知られている。このレトロ調タイプの時計において、日表示を例にとると、指針は、１から３１まで順次進み、３１の次は再び、１の位置に戻る。このような指針の往復運動を実現するために、特許文献１では、日表示に関して、従来のリング状の日車（ただし日の印字はない）の外周形状を螺旋状とし、これをカムとして利用することが提案されている。具体的に、特許文献１の時計は、指針が取り付けられたピニオンと、このピニオンに互いに反対方向から噛合い、地板に回動可能に取り付けられる一対のラックとを備えている。そして、一方のラックを介したばね押圧によって他方のラックがカムとしての回転板の外周に当接しており、日車の回転に応じて指針が往復運動するようになっている。
【０００３】
【特許文献１】特開平１１−６８８０号公報（［請求項２］［０００２］［００１６］、図３）
【発明の開示】
【発明が解決しようとする課題】
【０００４】
しかしながら、上記特許文献１のような従来の日車を使用する構成では、日車によってムーブメント外周が占められているので、日表示以外に、曜表示、月表示など、指針を往復運動させる他の機能を追加しようとした場合、これらの表示装置を日車の内周より内側に配置しなければならない。これでは、スペース的な制約が大きいうえ、構造が複雑化してしまうという問題がある。また、特許文献１の構成では、日表示の指針を日車の外周側から内側を指し示す向きでしか設けることができないなどの制約があった。
【０００５】
このような問題点から、本発明の目的は、レトロ調の表示を行う時計に関し、簡単な構造により、設計の自由度を格段に向上させることができる時計の表示装置、およびこの表示装置を備えた時計を提供することにある。
【課題を解決するための手段】
【０００６】
本発明の時計の表示装置は、動力源によって回転される駆動車と、この駆動車によって駆動されて駆動力を複数方向に分配する分配車と、この分配車で分配された駆動力によって駆動される従動車と、前記従動車を介して回転するカムと、このカムに当接して当該カムの回転に応じて撓むばね部、およびこのばね部と一体に設けられて当該ばね部の撓みに応動する歯車部を有するレバーと、前記歯車部と噛合う指示車と、この指示車に設けられる指示部材と、この指示部材により示される扇形の表示部とを備えたことを特徴とする。
【０００７】
この発明によれば、駆動力が分配車によって複数方向に分配されることにより、レトロ調の複数系統の表示機構が装備される。その表示機構の作用としては、まず、従動車が、駆動車、分配車による共通の歯車列を介して、日、月、曜など、表示の目的に応じた送り量で回転する。次いで、従動車を介してカムが回転することにより、このカムに当接するレバーが回動し、レバーに設けられた歯車部が移動する。また、レバーの回動に伴ってばね部が撓み、ばね力が蓄積される。そして、歯車部の動きにより、歯車部と噛合う指示車に取り付けられた指示部材が扇形の表示部の一端側から他端側に向かって動き、この指示部材によって暦、あるいは時刻が順番に指し示されていくことになる。さらに、指示部材が表示部の他端まで到達した際は、カムの周期終了に伴ってばね部の撓み（ばね力）が解放され、歯車部の移動により指示車が逆回転することによって、指示部材が表示部の一端側に復帰する。このような指示部材の往復運動により、日、月、曜などの暦、あるいは時刻が繰り返し表示される。
【０００８】
ここで、本発明は、駆動車、分配車、従動車等の歯車を構成要素としているので、これらの歯車を適宜組み合わせることが可能であって、設計に際してスペース上の制約が少ない。これにより、レトロ調表示における指示部材を設ける位置や向きも自在にできる。また、これらの歯車のほか、カムおよびレバーを主な部材として簡素に構成されているので、複数系統の表示機構が装備されているにも関わらず、構造が複雑化することがない。
なお、カムの形状としては、例えば、平面カムなど、カムの従動節であるレバーの変位量が次第に増加する周期を有するものなどを採用できる。また、カムのピークが複数設けられ、１回転で周期が複数回繰り返されるカムを採用することもできる。
さらに、ばねの形状は任意であるが、例えば、薄型の時計ケースに応じて、薄板状のばねを採用することができる。
【０００９】
本発明の時計の表示装置では、前記分配車は、前記駆動車および前記従動車とそれぞれ噛合う複数の歯車層を有し、これらの歯車層が同軸上に積層されていることが好ましい。
この発明によれば、歯車層の積層構造により、装置が大型化せず、スペース効率を良好にできるとともに、これらの歯車層が同軸上に設けられているため、各歯車層によって分配車の駆動力をそれぞれの従動車に確実に伝えることが可能となる。
【００１０】
本発明の時計の表示装置では、前記分配車は、前記駆動車によって１日に一歯ずつ送られ、前記従動車は、３１の整数倍の歯数を有する日従動車と、７の整数倍の歯数を有する曜従動車とで構成されていることが好ましい。
この発明によれば、駆動車、分配車、日従動車、および曜従動車を減速輪列として、日従動車を介した日表示、および曜従動車を介した曜表示をそれぞれ容易に行うことができる。
なお、第１従動車の歯数としては、３１，６２，９３・・・等を採用でき、第２従動車の歯数としては、７，１４，２１，２８・・・等を採用できる。
【００１１】
本発明の時計の表示装置では、前記駆動車は、時針が取り付けられた筒車であり、この筒車と前記分配車との間には、前記分配車を送る送り爪を有する日回し車が設けられていることが好ましい。
この発明によれば、時計が通常備えている筒車を駆動車として活用するので、スペース的に有利であり、設計効率も良好にできる。
また、日回し車を設けたことにより、筒車と日回し車との間で１／２減速され、筒車、日回し車、分配車、そして従動車へと段階的に減速する減速輪列が構成されるので、歯車が大型化することなく、装置全体を小型化することができる。さらに、日回し車の送り爪により、分配車を１日に一歯ずつ瞬間的に送ることが可能である。
【００１２】
本発明では、前記カムは、前記従動車と同軸上に設けられていることが好ましい。
この発明によれば、カムと従動車とが重ねられるため、装置が大型化しないとともに、カムと従動車とが同軸とされているから、従動車の回転をカムに確実に伝えることが可能となる。
【００１３】
本発明の時計は、前述の表示装置を備えたことを特徴とする。
この発明によれば、表示装置が前述したような作用及び効果を具備するため、同様の作用および効果を享受できる。
すなわち、曜、日、月、年などの暦表示および時刻表示のうち、任意に選択された複数系統のレトロ調表示を簡素な構成によって実現でき、表示部の形状や位置、指示部材の向き等も含めて設計が自由であることから、多様な製品を提供できる。
【発明の効果】
【００１４】
このような本発明によれば、駆動車、分配車、従動車、カム、およびレバーによって構成されているので、構造が複雑化することがなく、また、各部品の配置が困難である等のスペース上の問題もなく、設計の自由度を各段に向上させることができる。
【発明を実施するための最良の形態】
【００１５】
以下、本発明の実施形態を図面に基づいて説明する。
図１は、本実施形態の時計１の外観図であり、図２は、図１の部分拡大図である。
時計１は、駆動装置であるムーブメント２と、このムーブメント２を収容するケース３とを備えた腕時計（ウォッチ）である。時計の種類は、クォーツ時計、機械式時計、電子制御式機械時計のいずれでもよい。ここで、時計１は、アナログクォーツ時計として構成され、ムーブメント２には、文字板２１が取り付けられており、文字板２１の略中央には、動力源としてのステッピングモータで駆動される輪列に取り付けられた秒針２２１、分針２２２、時針２２３が配置されている。
また、本実施形態の時計１は、レトロ調の表示装置２０を備えたことを特徴としている。この表示装置２０は、ムーブメント２に組み込まれ、文字板２１に設けられた２つの扇形の表示部６１，９１における日針６２，曜針９２の往復運動によって、それぞれ、日表示、曜表示を行うものとなっている。
【００１６】
以下、本実施形態で最も特徴的な表示装置２０の構造について説明する。
図３は、ムーブメント２内に設けられた表示装置２０の構造を文字板２１側から見た平面図であり、図４は、表示装置２０の部分断面図である。
表示装置２０は、駆動力を伝達する歯車列３０と、日表示機構４０と、曜表示機構７０とを備えて構成されている。
【００１７】
歯車列３０は、日表示、曜表示の２系統の暦表示において共通の構成とされていて、駆動車としての筒車３１と、日回し車３２と、分配車３３とを有し、これらの歯車は、ムーブメント２の地板２４にそれぞれ軸支されている。
【００１８】
筒車３１は、１２時間で１回転するスリーブ状の歯車であり、この筒車３１には、時針２２３が取り付けられ、図示しないステッピングモータの駆動力が通常の駆動輪列を介して伝えられる。
この筒車３１と噛合う日回し車３２は、筒車３１の回転を１／２に減速して１日で１回転するものであって、筒車３１からの駆動力を分配車３３に伝えている。この日回し車３２は、図４に示されているように、筒車３１と噛合う日回し伝え車３２１（図３中、下段）と、分配車３３を送る日回し送り車３２２（同上段）とが積層された構造であり、日回し伝え車３２１は筒車３１の歯数の２倍の歯数を有するとともに、日回し送り車３２２は、分配車３３を１日に一歯ずつ瞬間的に送る送り爪３２２Ａを１つだけ有している。
そして、分配車３３は、送り爪３２２Ａによって歯送りされ、後段側で日従動車５１と曜従動車８１とに複数方向に駆動力を分配するものである。この分配車３３は、送り爪３２２Ａによって歯送りされる分配伝え車３３１（図３中、下段）、日従動車５１と噛合う日分配車３３２（同中段）、曜従動車８１と噛合う曜分配車３３３（同上段）が積層された３層構造となっている。
【００１９】
続いて、日表示機構４０の構成について説明する。
日表示機構４０は、歯車列３０から駆動力を受け取り、指示部材としての日針６２を往復運動させる制御部５０と、表示部６１および日針６２が含まれる指示部６０とを備えて構成されている。
【００２０】
制御部５０は、日従動車５１と、カム５２と、レバー５３とを備えて構成されている。
日従動車５１は、分配車３３から受け取った駆動力によって回転するものであって、歯数が３１に設定され、３１日で１回転している。
カム５２は、日従動車５１と同軸上に一体に設けられ、かつ日従動車５１とともに３１日で１回転する平面カムである。カム５２には、１つのピーク部５２１が設けられており、開始端部５２２からピーク部５２１までが螺旋状に形成されている。このようなカム５２の従動節はレバー５３である。
【００２１】
レバー５３は、薄板Ｕ字状のばね部５３１と、このばね部５３１と一体に設けられた歯車部５３２とを有している。
ばね部５３１は、カム５２の回転に応じたＵ字部分の弾性変形によって撓むようになっている。具体的に、ばね部５３１は、先端部５３１Ａがカム５２の外周に当接し、基端部５３１Ｂが地板２４のどて部分に当接するように、カム５２と平面的に隣接配置されている。
そして、歯車部５３２は、ばね部５３１から延びる本体５３２Ａと、本体５３２Ａを地板２４に軸支する軸部５３２Ｂと、本体５３２Ａの先端に形成された歯列５３２Ｃとを有し、軸部５３２Ｂを中心として、ばね部５３１の撓みに応じて回動するようになっている。
【００２２】
一方、指示部６０は、指示車６３と、指示車６３に取り付けられた日針６２と、文字板２１上の扇形の表示部６１とを有して構成されている。
表示部６１は、図１に示すように、文字板２１の２時側において、扇形の円弧部分が表された部分であって、文字板２１の中心と１２時位置とを結ぶ線に対して凸状となる向きで設けられている。この表示部６１の扇形の円弧に沿って、「１」〜「３１」の文字が所定間隔で印字されており、これは日を示す目盛６１１となっている。
【００２３】
また、指示車６３は、レバー５３の歯車部５３２と噛合い、軸に取り付けられた日針６２を運針させるものであり、表示部６１の扇形形状の円中心に配置されている。この指示車６３の回転角度範囲は、表示部６１の扇形の角度に対応しており、指示車６３の歯数は、歯車部５３２の歯列５３２Ｃの歯数との関係で決められている。
【００２４】
ところで、制御部４０には、修正輪列５４が設けられている。修正輪列５４は、２月、４月、６月など、日数が３１日未満の翌月など日表示の修正が必要なときに、竜頭２３を回転させて日針６２の進みを修正するもので、図５の断面図に示すように、日針修正車５４１、第１伝え車５４２、第２伝え車５４３、およびカム５２と同軸かつ一体に設けられた修正車５４４により構成されている。
ここで、日針修正車５４１は、竜頭２３が軸方向にケース３から引き出された際に、巻真２５の軸周りに形成された歯２５１と噛合い、竜頭２３の軸周りに回転するものである。
また、第１伝え車５４２は、日針修正車５４１と噛合って第２伝え車５４３に巻真２５の回転を伝え、第２伝え車５４３は、修正車５４４に回転力を伝えている。この修正車５４４の回転によって、カム５２の回転角度が調整される。なお、前述した日従動車５１（図３中、下段）、カム５２（同中段）、そして修正車５４４（同上段）により積層構造が構成されている。
【００２５】
次に、曜表示機構７０の構成について説明する。
曜表示機構７０の構成は、歯車列３０から駆動力を受け取り、指示部材としての曜針９２を往復運動させる制御部８０と、表示部９１および曜針９２が含まれる指示部９０とを備え、曜表示機構７０と日表示機構４０とは基本的に同じ構成であるが、日と曜との相違から、歯車の歯数などが相違している。以下、図３および図４を参照して簡単に説明する。
【００２６】
制御部８０は、曜従動車８１と、カム８２と、レバー８３とを備えて構成されている。
日従動車５１は、分配車３３から受け取った駆動力によって回転するものであって、歯数が７に設定され、７日で１回転している。
【００２７】
カム８２は、曜従動車８１と同軸上に一体に設けられ、曜従動車８１とともに２週間で１回転する平面カムである。このカム８２には、１つのピーク部８２１が設けられており、開始端部８２２からピーク部８２１までが螺旋状に形成されている。このようなカム５２の従動節はレバー８３である。
【００２８】
レバー８３は、薄板Ｕ字状のばね部８３１と、このばね部８３１と一体に設けられてばね部８３１の撓みに応じて回動する歯車部８３２とを有する。
ばね部８３１は、先端部８３１Ａがカム８２の外周に当接し、基端部８３１Ｂが地板２４のどて部分に当接するように、カム８２と平面的に隣接配置されている。
歯車部８３２は、前述の歯車部５３２と同様に、本体８３２Ａと、軸部８３２Ｂと、歯列８３２Ｃとを有している。
【００２９】
そして、指示部９０は、指示車９３と、この指示車９３に設けられた曜針９２と、文字板２１上の表示部９１とを有して構成されている。
表示部９１は、図１に示すように、文字板２１において表示部６１と向かい合わせに配置され、１０時側において、扇形の円弧部分が表された部分であって、文字板２１の中心と１２時位置とを結ぶ線に対して凸状となる向きで設けられている。この表示部９１の扇形の円弧に沿って、「SUN」〜「SAT」の文字が所定間隔で印字されており、これは曜を示す目盛９１１となっている。
【００３０】
指示車９３は、歯車部８３２と噛合い、軸に取り付けられた曜針９２を運針させるものであり、表示部９１の扇形形状の円中心に配置されている。この指示車９３の回転角度範囲は、表示部６１の扇形の角度に対応しており、指示車９３の歯数は、歯車部８３２の歯列８３２Ｃの歯数との関係で決められている。
【００３１】
以上の構成を備えた時計１において、暦の表示は次のように行われる。
ステッピングモータの駆動力は、図示しない輪列を介して歯車列３０における筒車３１に伝えられ、筒車３１は、１２時間で１回転、すなわち１日に２回転する。この筒車３１の回転は、筒車３１から日回し車３２に伝えられる際に１／２減速され、日回し車３２は、１日に１回転する。そして、日回し車３２の送り爪３２２Ａによって、分配車３３の分配伝え車３３１は１日に一歯ずつ送られる。ここまでは、日表示と曜表示とで共通であって、分配伝え車３３１に伝えられた駆動力が分配車３３を介して、日分配車３３２から日従動車５１へ、および、曜分配車３３３から曜従動車８１へと分配されることによって、日表示機構４０と曜表示機構７０とが駆動される。
【００３２】
日表示機構４０では、日分配車３３２を介して日従動車５１に駆動力が伝えられ、この際、日従動車５１に伝えられる駆動力は、日回し車３２の回転速度を基準とすると、１／３１に減速されて伝えられる。
そして、日従動車５１の回転は、日従動車５１の軸を介してカム５２にも伝えられ、カム５２および日従動車５１全体が、３１日で１回転する。
ここで、カム５２およびレバー５３は、日表示機構４０の制御部５０を構成するものであって、カム５２の回転によりレバー５３が回動するとともに、歯車部５３２が移動し、これによって歯車部５３２と噛合う指示車６３を介して、日針６２が表示部６１において運針される。具体的には、カム５２の回転によってばね部５３１が撓み、このばね部５３１の撓みに応じて、歯車部５３２が軸部５３２Ｂを中心に回動し、歯車部５３２の歯列５３２Ｃが指示車６３に対して移動する。そして、ばね部５３１の撓み（ばね力）が蓄積されていきながら、このばね力によって指示車６３が順方向に回転する。この指示車６３の回転に応じて日針６２が運針され、表示部６１の目盛６１１が日針６２によって順次、指し示されていく。
【００３３】
そして、日針６２が表示部６１の目盛６１１の終了位置６１１Ｂまで進められたとき、図３に示すように、レバー５３は、カム５２のピーク部５２１に当接する状態となっており、この状態で送り爪３２２Ａによって分配車３３が次に送られたとき、この分配車３３を介して日従動車５１およびカム５２が回転してカム５２の周期が終了する。このカム５２の周期終了の際には、ばね部５３１の先端部５３１Ａとカム５２との当接部分がピーク部５２１から開始端部５２２に瞬間的に移動するとともに、ばね部５３１が復元する。この際、歯車部５３２の移動により指示車６３が逆回転して、日針６２が表示部６１の目盛６１１の開始位置６１１Ａに復帰（帰零）することになる。そして、カム５２の次の周期が開始し、上述のようなカム５２の回転に応じたレバー５３の回動、およびレバー５３の回動に応じた指示車６３の順回転／逆回転が繰り返されることによって、日針６２の往復運動が３１日周期で行われる。
【００３４】
なお、３１日未満の月の翌月など、日針６２の進みを修正する際には、竜頭２３をケース３から引き出して巻真２５を回転させれば、巻真２５の歯２５１を介して日針修正車５４１、第１伝え車５４２、第２伝え車５４３、修正車５４４が順次回転し、修正車５４４とともにカム５２が回転する。したがって、竜頭２３を回してカム５２の回転角度を調整することにより、レバー５３、指示車６３を介して日針６２の指示方向が変わり、日針６２の位置を表示部６１の目盛６１１の適切な位置に修正することができる。
【００３５】
一方、曜表示機構７０では、分配車３３の分配伝え車３３１に伝えられた駆動力が、分配車３３を介して曜分配車３３３に伝えられ、この曜分配車３３３から、曜従動車８１に伝えられる。この際、曜分配車３３３を介して曜従動車８１に伝えられる駆動力は、日回し車３２の回転速度を基準にすると、１／７に減速されて伝えられる。
そして、曜従動車８１の回転は、曜従動車８１を介してカム８２にも伝えられ、カム８２および曜従動車８１全体が、１週間で１回転する。
ここで、カム８２およびレバー８３は、曜表示機構７０の制御部８０を構成するものであって、レバー８３の回動によって指示車９３が回転し、さらに、指示車９３に取り付けられた曜針９２が表示部９１において、目盛９１１の開始位置９１１Ａと終了位置９１１Ｂとの間を７日周期で往復運動することになる。
ここに、日表示機構４０と曜表示機構７０による、複数系統の暦表示が実現する。
【００３６】
以上説明したような実施形態によれば、次のような効果がある。
（１）筒車３１、分配車３３、日従動車５１、曜従動車８１、カム５２，８２、およびレバー５３，８３などによって、日針６２や曜針９２を往復運動させるレトロ調の表示を行うものとしたので、これらの歯車３１〜３３，５１，８１等、およびカム５２，６１、レバー５３，６２等の構成の簡素さ、レイアウトの容易さから、スペース的な制約を大幅に少なくできる。これにより、構造が複雑化することなく、日表示と曜表示とからなる複数系統のレトロ調表示を行う表示装置２０を容易に実現できる。
【００３７】
（２）筒車３１、分配車３３、日従動車５１、曜従動車８１等、カム５２，８２、およびレバー５３，８３を任意に組み合わせることが可能であり、日針６２および曜針９２の指示方向や、表示部６１、９１の位置、形状、向き等を自由に設計できる。これにより、設計時のコストが高騰することなく、多様なデザインの時計を安価に提供できる。
【００３８】
（３）分配伝え車３３１、日分配車３３２、曜分配車３３３による同軸３層構造として分配車３３を構成したので、スペース効率が良好であって、表示装置２０が大型化しないとともに、分配伝え車３３１に伝えられた駆動力を日分配車３３２および曜分配車３３３に確実に伝え、さらに、日分配車３３２から日従動車５１へと、あるいは曜分配車３３３から曜従動車８１へと、確実に伝えることができる。
【００３９】
（４）分配車３３が送り爪３２２Ａによって１日に一歯送られ、そして、日従動車５１の歯数が３１、曜従動車８１の歯数が７であることにより、分配車３３と日従動車５１との間、または、分配車３３と曜従動車８１との間で単純な減速輪列を構成でき、日表示および曜表示をそれぞれ容易に行うことができる。
【００４０】
（５）駆動車として構成された筒車３１は、時計が通常備えているものであるから、スペース的に有利であって設計効率も良好にできる。
また、日回し車３２を筒車３１と分配車３３との間に設けたことにより、筒車３１から日回し車３２へ、そして分配車３３へ、さらに日従動車５１および曜従動車８１へと、段階的に減速する減速輪列が構成されるので、歯車が大型化したり、構造が複雑となったりすることがない。
【００４１】
（６）カム５２と日従動車５１とが、そして、カム８２と曜従動車８１とが、それぞれ同軸に一体化されているため、省スペースであるとともに、日従動車５１および曜従動車８１の回転をカム５２、６１にそれぞれ確実に伝えることが可能となる。
【００４２】
本発明は、前述の各実施形態に限定されるものではなく、各種の変形や改良が許容される。
ここで、本発明は、駆動車、分配車、カム、レバー、指示車、指示部材により、構造が複雑化することなく、レイアウト自在であることを特徴とするものである。これらの駆動車、分配車、カム、レバー、指示車、指示部材の組み合わせに応じて、例えば、文字板中央部に扇形の円中心側が向くように表示部を配置して、指示部材が文字板中央部から外周側を指し示す構成とすることもできる。ここで、表示部の扇形の角度や大きさ、指示部材の移動範囲、表示部の目盛の構成などは任意に決められる。
また、前記実施形態では、筒車３１を中心として、２時側に表示部６１が、１０時側に表示部９１が振り分けられていたが、このような構成に限られない。例えば、分配車に対する従動車の位置を変更することにより、表示部の向きや位置を変更することができる。
なお、前記実施形態は日回し車３２を備えていたが、駆動車、分配車のみによって歯車列が構成されていてもよい。
【００４３】
また、カムやレバーの形状などは任意に決められる。例えば、曜従動車の歯数を１４に設定するとともに、カムには２つのピーク部を形成することが考えられる。このような構成によれば、カムが２週間で１回転すると、その周期が２回繰り返されて指示部材が２往復することになる。さらに、カムのピークを３つ設けて３週間で１回転、あるいは、４つ設けて４週間で１回転する構成とすることも可能である。
なお、指示部材として、前記実施形態のような針形状に限らず、例えば、人形や花などが図案化されたものも採用できる。
【００４４】
そして、暦表示や時刻表示に関して従来のリング状の回転板（日車、曜車など）を本発明と併せて採用することもできる。例えば、回転板によって日を表示し、本発明の２つの表示部において、月、曜をそれぞれ表示する構成とすることが考えられる。このような構成としても、駆動車、分配車、従動車などを回転板の内周部分に容易に組み込むことができる。
【００４５】
前記実施形態では、日表示機構４０と曜表示機構７０とが組み込まれ、日表示および曜表示による暦表示が採用されていたが、日、曜のほか、月、年などの暦表示、あるいは、大安、仏滅などの暦注表示、さらに、時、分、秒などの時刻表示などの中から任意に選択された２つ、３つ、４つ以上の複数のレトロ調表示を行う構成にすることもできる。その際、駆動車、分配車および従動車の歯数、回転速度などは、表示の目的に応じた送り量となるように適宜決められる。
【００４６】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４７】
【図１】本発明の実施形態における時計を示す外観平面図。
【図２】図１の部分拡大図。
【図３】前記実施形態における時計の表示装置を示す平面図。
【図４】前記実施形態における時計の表示装置を示す部分断面図。
【図５】前記実施形態における時計の表示装置の修正歯車列を示す断面図。
【符号の説明】
【００４８】
１１…時計、２０…時計の表示装置、３１…筒車（駆動車）、３２…日回し車、３３…分配車、５１…日従動車、５２，８２…カム、５３，８３…レバー、６１，９１…表示部、６２…日針（指示部材）、６３，９３…指示車、８１…曜従動車、９２…曜針（指示部材）、３２２Ａ…送り爪、３３１…分配伝え車（歯車層）、３３２…日分配層（歯車層）、３３３…曜分配層（歯車層）、５３１，８３１…ばね部、５３２，８３２…歯車部。
【図１】
2006071298.tif 000003
【図２】
2006071298.tif 000004
【図３】
2006071298.tif 000005
【図４】
2006071298.tif 000006
【図５】
2006071298.tif 000007